(57)【要約】【課題】脚装置を最小の部品点数をもって適切に構成できるようにする。【解決手段】下端部に接地部１０を有した雄ねじ状をなす脚軸１と、脚軸１に昇降可能に支持される昇降体２とを備えている。昇降体２は、支持対象物Ｐへの固定部２０１を備えると共に、脚軸１の通し抜け穴２０２を備えたベース部分２０と、ベース部分２０に片一端２１１を一体化してあると共に、片他端２１２の前面２１５側に脚軸１の雄ねじ部１２に噛み合う雌ねじ状部２１３を有し、かつ、片他端２１２側の背面２１６側に操作摘み２１４を備えたロック片部分２１とを有している。ベース部分２０とロック片部分２１とを、ロック片部分２１の雌ねじ状部２１３を前記通し抜け穴２０２に差し通される脚軸１の外周面よりも前方に入り込む位置に位置づけさせるようにして、プラスチック成形によって一体に形成させている。【選択図】図２
2005291458.tif 000002
【特許請求の範囲】
【請求項１】
支持対象物を高さ調整可能に支持する脚装置であって、
下端部に接地部を有した雄ねじ状をなす脚軸と、この脚軸に昇降可能に支持される昇降体とを備えており、
この昇降体は、
支持対象物への固定部を備えると共に、脚軸の通し抜け穴を備えたベース部分と、
このベース部分に片一端を一体化してあると共に、片他端の前面側に脚軸の雄ねじ部に噛み合う雌ねじ状部を有し、かつ、片他端側の背面側に操作摘みを備えたロック片部分とを有しており、
このベース部分とロック片部分とを、ロック片部分の雌ねじ状部を前記通し抜け穴に差し通される脚軸の外周面よりも前方に入り込む位置に位置づけさせるようにして、プラスチック成形によって一体に形成させていることを特徴とする脚装置。
【請求項２】
ベース部分が上板部を有していると共に、
ロック片部分がこのベース部分の上板部に片一端を一体化させていることを特徴とする請求項１記載の脚装置。
【請求項３】
ベース部分が側板部を有していると共に、この側板部に左右方向に延びる割溝が形成してあり、
ロック片部分の片他端側の側部にこの割溝に入り込む突起が形成してあることを特徴とする請求項１又は請求項２記載の脚装置。
【請求項４】
脚軸の上端部に、昇降体のベース部分の通し抜け穴への下方からのこの脚軸の入れ込みに伴って、一旦弾性変形した後、この通し抜け穴から上方に抜け出した位置において弾発してこの通し抜け穴に掛合される弾性掛合片が形成されていることを特徴とする請求項１から請求項３のいずれか１項に記載の脚装置。
【発明の詳細な説明】
【技術分野】
【０００１】
この発明は、各種の支持対象物に取り付けられてこの支持対象物の脚となると共に、かかる支持対象物を高さ調整可能に支持する機能を備えた脚装置の改良に関する。
【背景技術】
【０００２】
下端部に接地部を備えたボルト状をなす脚と、この脚の雄ねじ部に噛み合う部分を備えたナット的に機能する部材とを有し、この脚をもって支持対象物を高さ調整可能に支持するものとして、特許文献１および特許文献２に示されるものがある。
【０００３】
しかるに、これらのものにあっては、支持対象物に固定されるケースと、このケース内に配されるナット的に機能する部材、この部材を付勢するためのバネ、そして前記脚の少なくとも４つのパーツを必ず必要とするものであった。
【特許文献１】特開平１１−８２８８１号公報
【特許文献２】特開２００３−３１１０９２号公報
【発明の開示】
【発明が解決しようとする課題】
【０００４】
この発明が解決しようとする主たる問題点は、この種の脚装置を最小の部品点数をもって適切に構成できるようにする点にある。
【課題を解決するための手段】
【０００５】
前記問題点を解決するために、この発明にあっては、脚装置を以下の（１）〜（４）の構成を備えたものとした。
（１）支持対象物を高さ調整可能に支持する脚装置であって、
（２）下端部に接地部を有した雄ねじ状をなす脚軸と、この脚軸に昇降可能に支持される昇降体とを備えており、
（３）この昇降体は、
支持対象物への固定部を備えると共に、脚軸の通し抜け穴を備えたベース部分と、
このベース部分に片一端を一体化してあると共に、片他端の前面側に脚軸の雄ねじ部に噛み合う雌ねじ状部を有し、かつ、片他端側の背面側に操作摘みを備えたロック片部分とを有しており、
（４）このベース部分とロック片部分とを、ロック片部分の雌ねじ状部を前記通し抜け穴に差し通される脚軸の外周面よりも前方に入り込む位置に位置づけさせるようにして、プラスチック成形によって一体に形成させている。
【０００６】
これにより、前記脚軸と昇降体との２パーツによって、支持対象物を高さ調整可能に支持する脚装置を適切に構成させることができる。すなわち、ロック片部分を弾性変形させながら昇降体の通し抜け穴に脚軸を入れ込ませることにより、入れ込まされた脚軸の雄ねじ部にロック片部分の雌ねじ状部をこのロック片部分の弾発力によって押しつけ噛み合わせた脚装置を構成させることができる。支持対象物にベース部分の固定部によって取り付けられた脚装置は、脚軸を回転操作させることにより、昇降体の下面と脚軸の接地部との間の寸法を変え、これにより、支持対象物の高さの微調整が可能とされる。すなわち、昇降体は前記ロック片部分の雌ねじ状部を脚軸の雄ねじ部に噛み合わせており、脚軸を回転させると雌ねじ状部は脚軸に沿っていわば相対的に螺進又は螺退され、これにより、少しづつ支持対象物の高さを変えることができる。また、ロック片部分の操作摘みを使ってロック片部分をその雌ねじ状部と脚軸の雄ねじ部とのかみ合わせを解くように弾性変形させることにより、つまり、ロック片部分の片他端を後退移動させることにより、脚軸に沿って昇降体を大幅に上昇又は下降させることができ、これにより、支持対象物の高さを大幅調整することができる。
【０００７】
前記ベース部分が上板部を有していると共に、
ロック片部分がこのベース部分の上板部に片一端を一体化させているようにしておくこともある。
【０００８】
このようにした場合、操作摘みを上方に持ち上げるように操作することにより、脚軸に沿って昇降体を大幅に上昇又は下降させることができ、これにより、支持対象物の高さを大幅調整することができるものとされ、この大幅調整にあたって支持対象物を下方から支える手の指などを使って無理なくこの調整をなすことができる。
【０００９】
また、前記ベース部分が側板部を有していると共に、この側板部に左右方向に延びる割溝が形成してあり、
ロック片部分の片他端側の側部にこの割溝に入り込む突起を形成させておくこともある。
【００１０】
支持対象物を支持した状態においては脚軸の雄ねじ部に雌ねじ状部を噛み合わせているロック片部分には上向きの力が作用されるが、前記突起を割溝の上側の溝壁に接触させることでこの力を受けることができ、これによりこうした力の作用によりロック片部分に破損などが生じないようにすることができる。
【００１１】
また、前記脚軸の上端部に、昇降体のベース部分の通し抜け穴への下方からのこの脚軸の入れ込みに伴って、一旦弾性変形した後、この通し抜け穴から上方に抜け出した位置において弾発してこの通し抜け穴に掛合される弾性掛合片を形成させておくこともある。
【００１２】
このようにした場合、昇降体を取り付けた支持対象物を持ち上げるなどした場合などにおいて、昇降体の通し抜け穴から予期せず脚軸が抜け落ちてしまうことがない。
【発明の効果】
【００１３】
この発明によれば、雄ねじ部を備えた脚軸と、この脚軸の通し抜け穴を備えると共に支持対象物への固定部を備えたベース部分に一体化された雌ねじ状部を備えたロック片部分を持った昇降体との２パーツにより、支持対象物を高さ調整可能に支持する脚装置を適切に構成することができる。
【発明を実施するための最良の形態】
【００１４】
以下、図１ないし図１３に基づいて、この発明を実施するための最良の形態について説明する。
【００１５】
なお、ここで図１ないし図５は、脚装置の使用状態をそれぞれ示しており、特に図５は、昇降体２が最も下降した状態を示している。また、図６ないし図１１は、昇降体２をそれぞれ示しており、また、図１２および図１３は、脚軸１の他の構成例の一つを示している。
【００１６】
この実施の形態にかかる脚装置は、各種の支持対象物Ｐに取り付けられてこの支持対象物Ｐの脚となると共に、かかる支持対象物Ｐを高さ調整（レベル調整）可能に支持する機能（アジャスター機能）を備えたものである。
【００１７】
具体的には、かかる脚装置は、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置がかかる投影機に用いられる場合には、この投影機の投影レンズが設けられた前部側の下部に設けられてこの投影機の傾斜角を調整するように用いられ、これにより、この投影レンズから投影される映像がスクリーンなどに映し出される高さ位置を調整するように用いられる。
【００１８】
かかる脚装置は、脚軸１と昇降体２とを備えている。
【００１９】
脚軸１は、下端部に接地部１０を有した雄ねじ状をなすように構成されている。図示の例にあっては、かかる脚軸１は下端部に円盤状部１０１を有していると共に、この円盤状部１０１の下面にクッション材１０２を備えている。そして、このクッション材１０２を床面、地面、テーブル面などの接地面Ｇに接地させて、この接地面Ｇ上に支持対象物Ｐを支持させるようになっている。
【００２０】
また図示の例では、かかる脚軸１は、下端部側と上端部側とにそれぞれ無ねじ部１１を有していると共に、両無ねじ部１１、１１間に雄ねじ部１２を備えるように構成されている。この脚軸１の雄ねじ部１２には、前記昇降体２を構成する後述するロック片部分２１の雌ねじ状部２１３が噛み合わされ、前記円盤状部１０１を把持してなす脚軸１の回転操作によってこの昇降体２は上昇又は下降されるが、この昇降体２が上昇され切った位置および下降され切った位置においては前記雌ねじ状部２１３に噛み合う雄ねじ部１２がないことから、上昇され切った位置又は下降され切った位置においてさらに脚軸１を回転操作させてしまうことによる前記雌ねじ状部２１３の破損を生じさせることはない。
【００２１】
また、図示の例にあっては、脚軸１の上端部に、前記昇降体２の後述するベース部分２０の通し抜け穴２０２への下方からのこの脚軸１の入れ込みに伴って、一旦弾性変形した後、この通し抜け穴２０２から上方に抜け出した位置において弾発してこの通し抜け穴２０２に掛合される弾性掛合片１３が形成されている。
【００２２】
図示の例にあっては、脚軸１の上端部は中空の筒状に構成されていると共に、この上端部の末端において溝端を外方に解放させて脚軸１の軸線方向に延びる二条の割溝１４、１４によってこれらの割溝１４、１４間に前記弾性掛合片１３を形成させている。かかる弾性掛合片１３は脚軸１の直径方向両側に形成されている。また、図示の例では、二つの弾性掛合片１３、１３のうちの一方が脚軸１の上端部の末端よりもより上方に突き出すようになっている。二つの弾性掛合片１３、１３の上端であってその外面部にはそれぞれ、突部１３１が形成されている。この突部１３１は脚軸１の下端部側に向いた掛合面１３２を有すると共に、頂部１３３を挟んだ上方側にこの頂部１３３に向かうに連れて次第に突部１３１の突き出し寸法を大きくする向きに傾斜した傾斜面１３４を有している。そして、二つの弾性掛合片１３、１３の突部１３１の頂部１３３間の寸法が、昇降体２の通し抜け穴２０２の穴径よりもやや大きくなるようにしてある。昇降体２と脚軸１とを前記のようにこの脚軸１を通し抜け穴２０２に入れ込ませて組み合わさせるにあたり、弾性掛合片１３は前記突部１３１の傾斜面１３４を通し抜け穴２０２の穴口縁に突き当ててスムースに弾性変形され、この通し抜け穴２０２から上方に抜け出した位置で弾性復帰して通し抜け穴２０２に前記掛合面１３２を掛合させる。
【００２３】
これにより、図示の例にあっては、昇降体２を取り付けた支持対象物Ｐを持ち上げるなどした場合などにおいて、昇降体２の通し抜け穴２０２から予期せず脚軸１が抜け落ちてしまうことがないようになっている。
【００２４】
また、図示の例にあっては、二つの弾性掛合片１３、１３の一方が他方よりも上方に長く延びており、二つの弾性掛合片１３、１３の突部１３１の頂部１３３の位置が上下に異なっていることから、通し抜け穴２０２への脚軸１の入れ込みにあたり、二つの弾性掛合片１３、１３の双方を同時に最大限内向きに弾性変形させることなくこの入れ込みをなすことができ、この入れ込みを容易に行えるようになっている。それと共に、図示の例にあっては、二つの弾性掛合片１３、１３のうちの他方の弾性掛合片１３（短い方）の突部１３１の掛合面１３２に昇降体２の通し抜け穴２０２の上側の穴口が突き当たった位置においては脚軸１の雄ねじ部１２にロック片部分２１の雌ねじ状部２１３が未だ噛み合うようにしてあると共に、これを越えて脚軸１の回転操作によって昇降体２が上昇されてロック片部分２１の雌ねじ状部２１３が前記無ねじ部１１の形成位置に位置された場合には、二つの弾性掛合片１３、１３のうちの一方の弾性掛合片１３（長い方）の突部１３１の掛合面１３２に昇降体２の通し抜け穴２０２の上側の穴口が突き当たるようにしてあり、昇降体２が上昇され切った位置においての昇降体２からの脚軸１の抜け出しを確実に阻止できるようになっている。
【００２５】
図１２および図１３は、かかる脚軸１を構成する前記円盤状部１０１の外周面にこの円盤状部１０１の肉厚方向に沿ったリブ１５をこの周方向において隣り合うリブ１５との間に間隔を開けて複数設けさせた例を示している。このようにした場合、この円盤状部１０１を把持などして脚軸１をより容易に回転操作することができる。
【００２６】
かかる脚軸１は、昇降体２の下降させればさせるほど、この昇降体２の上面からの突き出し寸法を大きくさせる。典型的には、支持対象物Ｐにおける昇降体２の取り付け箇所にはこのように突き出される脚軸１が納まる昇降体２の通し抜け穴２０２に連通した脚軸１の収容空間Ｐａが形成される。
【００２７】
一方、昇降体２は、前記脚軸１に昇降可能に支持されるようになっている。また、この昇降体２は、ベース部分２０とロック片部分２１とを一体的に備えている。
【００２８】
ベース部分２０は、支持対象物Ｐへの固定部２０１を備えると共に、脚軸１の通し抜け穴２０２を備えている。図示の例にあっては、かかるベース部分２０は、ほぼ長方形の板状をなす上板部２０３と下板部２０４とを有すると共に、この上板部２０３の一方の長辺部と下板部２０４の一方の長辺部との間、および、この上板部２０３の他方の長辺部と下板部２０４の他方の長辺部との間に、側板部２０５をそれぞれ有しており、左右に開放部２０６を備えたボックス状をなすように構成されている。そして、図示の例にあっては、上板部２０３の一方の短辺部側に偏った位置と、下板部２０４の一方の短辺部側に偏った位置とにそれぞれ、前記脚軸１の通し抜け穴２０２が貫通状態に形成してある。また、図示の例にあっては、ベース部分２０の上部に、上板部２０３の一方の短辺部から側方に延びる延設片２０１ａが形成されており、この上板部２０３の上面を支持対象物Ｐの下面などに添装させた状態でこの延設片２０１ａに設けられた穴２０１ｂに下方からねじＳなどを入れ込み支持対象物Ｐに止め付けることにより、この支持対象物Ｐに昇降体２を固定させるようになっている。
【００２９】
ロック片部分２１は、前記ベース部分２０に片一端２１１を一体化してあると共に、片他端２１２の前面２１５側に脚軸１の雄ねじ部１２に噛み合う雌ねじ状部２１３を有し、かつ、片他端２１２側の背面２１６側に操作摘み２１４を備えている。
【００３０】
図示の例では、かかるロック片部分２１は、ベース部分２０の一対の側板部２０５、２０５の内面間に、この内面との間に隙間を開ける幅を持つように構成された板状をなすように構成されている。そして、前記通し抜け穴２０２の側に向けられた前面２１５と、これと反対の背面２１６を持つようになっている。雌ねじ状部２１３は、脚軸１の雄ねじ部１２に噛み合う一条又は複数状の突起をロック片部分２１の片他端２１２側の前面２１５に形成することで構成することができるが、図示の例では、かかる雌ねじ状部２１３は、脚軸１の雄ねじ部１２に噛み合う形状を持った仮想の雌ねじの一部２１３ａを、ロック片部分２１の片他端２１２の前面２１５に形成させることにより構成されている。また、操作摘み２１４は、このロック片部分２１の片他端２１２側の背面２１６から延設されてその端部をこの背面２１６側にあるベース部分２０の前記開放部２０６から外方に突き出させるように構成されている。
【００３１】
そして、この実施の形態にあっては、前記ベース部分２０とロック片部分２１とを、ロック片部分２１の雌ねじ状部２１３を前記通し抜け穴２０２に差し通される脚軸１の外周面よりも前方に入り込む位置に位置づけさせるようにして、すなわち、ロック片部分２１が、差し通される脚軸１の軸線を挟んだ一方側から延びてその雌ねじ状部２１３をこの一方側にある脚軸１の外周面位置ｘを越えてこの脚軸１の軸線ｙが位置される位置に近づく位置、あるいは、この軸線ｙ上、あるいは、この軸線ｙを挟んだ他方側に入り込むように、プラスチック成形によって一体に形成させている。
【００３２】
具体的には、図示の例にあっては、かかるロック片部分２１の雌ねじ状部２１３が、前記通し抜け穴２０２に差し通される脚軸１の軸線ｙが位置される位置にほぼ位置づけられるようにして、ベース部分２０とロック片部分２１とをプラスチック成形によって一体に形成させている。
【００３３】
特に、図示の例にあっては、ベース部分２０が左右に開放部２０６を有していることから、この左右の開放部２０６を通じてベース部分２０の内部に前記ロック片部分２１を容易かつ適切にベース部分２０と一体にプラスチック成形によって形成させることができる。
【００３４】
このプラスチック成形によって、ロック片部分２１は、前記片一端２１１側を変形中心として、雌ねじ状部２１３の形成された片他端２１２側を後退させる向きに弾性変形可能となっている。具体的には、前記ベース部分２０の開放部２０６から突き出されている操作摘み２１４を操作することにより、ロック片部分２１を弾性変形させることができるようになっている。（ロック片部分２１の後退位置を図２において仮想線で示す。）
【００３５】
これにより、この実施の形態にかかる脚装置にあっては、前記脚軸１と昇降体２との２パーツによって、支持対象物Ｐを高さ調整可能に支持する脚装置を適切に構成させることができる。すなわち、ロック片部分２１を弾性変形させながら昇降体２の通し抜け穴２０２に脚軸１を入れ込ませることにより、入れ込まされた脚軸１の雄ねじ部１２にロック片部分２１の雌ねじ状部２１３をこのロック片部分２１の弾発力によって押しつけ噛み合わせた脚装置を構成させることができる。支持対象物Ｐにベース部分２０の固定部２０１によって取り付けられた脚装置は、脚軸１を回転操作させることにより、昇降体２の下面と脚軸１の接地部１０との間の寸法を変え、これにより、支持対象物Ｐの高さの微調整が可能とされる。すなわち、昇降体２は前記ロック片部分２１の雌ねじ状部２１３を脚軸１の雄ねじ部１２に噛み合わせており、脚軸１を回転させると雌ねじ状部２１３は脚軸１に沿っていわば相対的に螺進又は螺退され、これにより、少しづつ支持対象物Ｐの高さを変えることができる。また、ロック片部分２１の操作摘み２１４を使ってロック片部分２１をその雌ねじ状部２１３と脚軸１の雄ねじ部１２とのかみ合わせを解くように弾性変形させることにより、つまり、ロック片部分２１の片他端２１２を後退移動させることにより、脚軸１に沿って昇降体２を大幅に上昇又は下降させることができ、これにより、支持対象物Ｐの高さを大幅調整することができる。
【００３６】
また、図示の例では、かかるロック片部分２１が前記ベース部分２０の上板部２０３に片一端２１１を一体化させて設けられている。
【００３７】
具体的には、図示の例にあっては、ベース部分２０の上板部２０３における通し抜け穴２０２の形成側と反対の短辺部近傍において、この上板部２０３の内面にロック片部分２１の片一端２１１を一体に連接させている。ロック片部分２１は、この片一端２１１から片他端２１２側に近づくに連れて次第にベース部分２０の内方に入り込む向きに傾斜状に下方に向けて突き出し、片他端２１２の前面２１５側に首部２１７を介して雌ねじ状部２１３を備えたヘッド部２１８を備え、かつ、片他端２１２の背面２１６側に操作摘み２１４を備えている。ヘッド部２１８の前面２１５、つまり、雌ねじ状部２１３の形成面は、脚軸１の差し通し前の状態では前記傾斜と同じ向きに傾斜しており、脚軸１を差し通すことによりロック片部分２１は、この形成面と脚軸１の軸線ｙとをほぼ平行とする位置まで弾性的に後退される。
【００３８】
これにより、図示の例にあっては、操作摘み２１４を上方に持ち上げるように操作することにより、脚軸１に沿って昇降体２を大幅に上昇又は下降させることができ、これにより、支持対象物Ｐの高さを大幅調整することができるものとされ、この大幅調整にあたって支持対象物Ｐを下方から支える手の指などを使って無理なくこの調整をなすことができる。
【００３９】
また、図示の例にあっては、前記ベース部分２０の側板部２０５に左右方向に長く延びる割溝２０５ａが形成してあると共に、前記ロック片部分２１の片他端２１２側の側部にこの割溝２０５ａに入り込む突起２１９が形成してある。
【００４０】
図示の例にあっては、ロック片部分２１の突起２１９は、ロック片部分２１の側部であって、前記ヘッド部２１８と首部２１７との連接箇所に形成されている。かかる突部はロック片部分２１の両側部にそれぞれ設けられている。そして、図示の例では、ベース部分２０の両側板部２０５にそれぞれ割溝２０５ａが形成されており、ロック片部分２１の両突起２１９、２１９がそれぞれ対応する側の割溝２０５ａ、２０５ａに入り込んだ状態で、この割溝２０５ａを通じてこの突起２１９を備えたロック片部分２１をプラスチック成形するようにしてある。割溝２０５ａは、ロック片部分２１の弾性変形による突起２１９の移動軌跡に沿うように形成された主溝部２０５ｂとこの主溝部２０５ｂにおける通し抜け穴２０２の形成側にある溝端に連通して上方に延びる副溝部２０５ｃとを有している。
【００４１】
支持対象物Ｐを支持した状態においては脚軸１の雄ねじ部１２に雌ねじ状部２１３を噛み合わせているロック片部分２１には上向きの力が作用されるが、前記突起２１９を割溝２０５ａ（図示の例では主割溝２０５ａ）の上側の溝壁２０５ｄに接触させることでこの力を受けることができ、これによりこうした力の作用によりロック片部分２１に破損などが生じないようにすることができる。
【図面の簡単な説明】
【００４２】
【図１】脚装置の使用状態を示した正面図
【図２】同断面図
【図３】同左側面図
【図４】同平面図（支持対象物Ｐ省略）
【図５】同右側面図
【図６】昇降体２の正面図
【図７】同平面図
【図８】同左側面図
【図９】同右側面図
【図１０】図６におけるＡ−Ａ線断面図
【図１１】図８におけるＢ−Ｂ線断面図
【図１２】脚軸１の他の構成例を示した正面図
【図１３】同平面図
【符号の説明】
【００４３】
Ｐ  支持対象物
１  脚軸
１０  接地部
１２  雄ねじ部
２  昇降体
２０  ベース部分
２０１  固定部
２０２  通し抜け穴
２１  ロック片部分
２１１  片一端
２１２  片他端
２１３  雌ねじ状部
２１４  操作摘み
２１５  前面
２１６  背面
【図１】
2005291458.tif 000003
【図２】
2005291458.tif 000004
【図３】
2005291458.tif 000005
【図４】
2005291458.tif 000006
【図５】
2005291458.tif 000007
【図６】
2005291458.tif 000008
【図７】
2005291458.tif 000009
【図８】
2005291458.tif 000010
【図９】
2005291458.tif 000011
【図１０】
2005291458.tif 000012
【図１１】
2005291458.tif 000013
【図１２】
2005291458.tif 000014
【図１３】
2005291458.tif 000015